(57)【要約】【課題】天吊り装置のランプ交換やフィルタ清掃・交換を安全に行う。【解決手段】固定用金具を取り外すと下板６と上板７は、ヒンジ構造として回転開閉な緩衝部材であるオイルダンパ１１を開いた状態となる。オイルダンパ１１の緩衝作用により、プロジェクタ本体１は緩やかに開放されるため、作業者は比較的安全に容易に作業することができる。【選択図】図２
2009288268.tif 000002
【特許請求の範囲】
【請求項１】
ランプ交換部とフィルタ交換部の少なくとも一方を備えるプロジェクタ本体を天井に固定するための天吊り装置において、前記ランプ交換部と前記フィルタ交換部の少なくとも一方が設けられる面に対して固定される第１の保持部材と、該第１の保持部材に対して開閉可能であって、天井側に固定される第２の保持部材と、前記第１の保持部材と前記第２の保持部材の開閉時に緩衝作用をする緩衝部材とを備えることを特徴とする天吊り装置。
【請求項２】
前記第１の保持部材は前記ランプ交換部におけるランプ交換が可能な形状であることを特徴とする請求項１に記載の天吊り装置。
【請求項３】
前記第１の保持部材は前記フィルタ交換部における操作が可能な形状であることを特徴とする請求項１または２に記載の天吊り装置。
【請求項４】
前記緩衝部材はヒンジ構造を備えることを特徴とする請求項１に記載の天吊り装置。
【請求項５】
前記第２の保持部材は、天吊り状態において前記フィルタ交換部の上部を覆うための塵埃堆積防止部を備えることを特徴とする請求項１に記載の天吊り装置。
【請求項６】
前記第２の保持部材に対して前記第１の保持部材が前記ヒンジ構造を中心として開いた場合に、天吊り状態で下方となる位置に前記ランプ交換部が配置されていることを特徴とする請求項４に記載の天吊り装置。
【請求項７】
ランプ交換部とフィルタ交換部の少なくとも一方を備えるプロジェクタ本体と、該プロジェクタ本体を天井に固定するための天吊り装置を備える天井取付用プロジェクタであって、前記天吊り装置は、前記プロジェクタ本体のランプ交換部とフィルタ交換部の少なくとも一方が設けられる面に対して固定される第１の保持部材と、該第１の保持部材に対して開閉可能であって、天井側に固定される第２の保持部材と、前記第１の保持部材と前記第２の保持部材の開閉時に緩衝作用をする緩衝部材とを備えることを特徴とする天井取付用プロジェクタ。
【発明の詳細な説明】
【技術分野】
【０００１】
本発明は、プロジェクタを天井に取り付ける天吊り装置及び天井取付用プロジェクタに関するものである。
【背景技術】
【０００２】
一般にプロジェクタの設置する場合、リアプロジェクタを除けば、スクリーン前方の机上に設置する場合と、天井から吊り下げる場合の２つの場合に大別される。最近では、プロジェクタ本体の存在を気にすることなくスクリーン画面に集中でき、スペースレイアウトの自由度が高いことから天井から吊り下げる場合が増加してきている。
【０００３】
天井から吊り下げた場合には、高所から画像を投射するため人影による影響を受け難く、冷却のための排気風が人に直接に当たらない、冷却ファンのノイズも気になり難いといった利点がある。
【０００４】
しかし、プロジェクタを天井から吊り下げて設置するためには、脚立や梯子等に載って作業を行う必要がある。
【０００５】
特許文献１では、プロジェクタを天井に取り付ける際に、工具を使用せずに仮固定し、本固定の際には、プロジェクタの重量が作業者に掛からず安全に取り付けることのできる天吊り装置が開示されている。
【０００６】
この特許文献１に示す方法は、取付作業が容易であり、かつ安全であるため、現在では多くの天吊り装置に採用されている方法の１つである。
【０００７】
【特許文献１】特公平４−３５１０７号公報
【発明の開示】
【発明が解決しようとする課題】
【０００８】
特許文献１の天吊り装置においては、プロジェクタのランプ交換、フィルタ清掃やフィルタ交換に際して本固定部を解除した場合、プロジェクタ本体が振り子運動しないようにプロジェクタ本体を支える必要が生ずる。しかしながら、様々なタイプの天吊り装置が市場に出回っているため、作業者が天吊り装置の特長を把握しきれていない虞れがある。
【０００９】
本来であれば、天吊り状態のままでランプ交換、フィルタ清掃・交換可能とするべきであるが、天吊り専用モデルでない限り、デザイン性を損なうために、ランプ交換やフィルタ清掃・交換の開口部は、プロジェクタ本体の底面に配置している場合が殆どである。
【００１０】
また、プロジェクタをランプ交換、フィルタの清掃不要なメンテナンスフリーとすることが望ましいが、現段階においてそこまでは至ってはいない。
【００１１】
本発明の目的は、上述の問題点を解消し、ランプ交換やフィルタ清掃・交換を容易に行うことのできる天吊り装置及び天井取付用プロジェクタを提供することにある。
【課題を解決するための手段】
【００１２】
上記目的を達成するための本発明に係る天吊り装置は、ランプ交換部とフィルタ交換部の少なくとも一方を備えるプロジェクタ本体を天井に固定するための天吊り装置において、前記ランプ交換部と前記フィルタ交換部の少なくとも一方が設けられる面に対して固定される第１の保持部材と、該第１の保持部材に対して開閉可能であって、天井側に固定される第２の保持部材と、前記第１の保持部材と前記第２の保持部材の開閉時に緩衝作用をする緩衝部材とを備えることを特徴とする。
【００１３】
また、本発明に係る天井取付用プロジェクタは、ランプ交換部とフィルタ交換部の少なくとも一方を備えるプロジェクタ本体と、該プロジェクタ本体を天井に固定するための天吊り装置を備える天井取付用プロジェクタであって、前記天吊り装置は、前記プロジェクタ本体のランプ交換部とフィルタ交換部の少なくとも一方が設けられる面に対して固定される第１の保持部材と、該第１の保持部材に対して開閉可能であって、天井側に固定される第２の保持部材と、前記第１の保持部材と前記第２の保持部材の開閉時に緩衝作用をする緩衝部材とを備えることを特徴とする。
【発明の効果】
【００１４】
本発明に係る天吊り装置及び天井取付用プロジェクタによれば、ランプ交換やフィルタ清掃・交換の際に、プロジェクタ本体の仮固定を解除しても、プロジェクタ本体を支える必要がなく、容易にランプ交換等を行うことができる。
【発明を実施するための最良の形態】
【００１５】
本発明を図示の実施例に基づいて詳細に説明する。
図１は本実施例の天吊り装置に、机上設置状態では下方になるプロジェクタの底面側を、上方に向けて保持固定する天井取付用プロジェクタの斜視図を示している。プロジェクタ本体１の前面には投影レンズ２が設けられ、机上設置状態において底面側となるプロジェクタ本体１の上面には、フィルタ交換部３が設けられている。このフィルタ交換部３は内部に外気を取り込むための空隙を有すると共に、塵埃の侵入を防止する図示しないフィルタを取り出すための構成である。
【００１６】
また、プロジェクタ本体１の上面には、ランプユニットを交換するためのランプ交換部４が設けられていると共に、このプロジェクタ本体１を天井に天吊り設置するための天吊り装置５が取り付けられている。天吊り装置５は、プロジェクタ本体１の上面に固定される第１の保持部材である下板６と天井側に固定される第２の保持部材である上板７を備えている。
【００１７】
下板６はフィルタ交換部３、ランプ交換部４を閉塞しないような形状とされている。また、下板６はＬ字形状に屈曲した屈曲部６ａを備えており、屈曲部６ａには、第２の保持部材である上板７がその屈曲部７ａを介して、固定用金具８により連結されている。更に、下板６と上板７は屈曲部６ａ、７ａの反対側の端部において、緩衝部材であるオイルダンパを介して連結されている。そして、上板７には軸支部９を介して固定板１０が固定され、固定板１０には天井側に固定するための複数のビス孔１０ａが設けられている。更に、通常の塵埃は物体上面に堆積するので、これを防止するために上板７にはフィルタ交換部３の上部を覆う塵埃堆積防止部７ｂが形成されている。
【００１８】
プロジェクタ本体１は図示しない調整機構を介してスクリーンに対して、画角の他に、左右傾き、上下傾き、回転、ピント、左右位置、上下位置の６軸方向と台形歪が調整されて、最適な状態とされる。
【００１９】
しかし、フィルタ交換部３、ランプ交換部４の上方には上板７が存在するため、通常使用されているような状態のまま、ランプ交換部４からランプ交換をしたり、フィルタ交換部３からフィルタ清掃やフィルタ交換を行うことは困難である。仮に、上板７がなく、下板６が軸支部９に直接に固定されていても、天井との間隙が狭く作業は困難である。また、固定板１０と上板７の間には、図示しない調整構造や脱着構造が設けられているため、フィルタ交換部３、ランプ交換部４を操作することは困難である。
【００２０】
図２はランプ交換やフィルタ清掃・交換のために、固定用金具８を取り外し屈曲部６ａと屈曲部７ａとを分離し、緩衝部材であるオイルダンパ１１によりプロジェクタ本体１を吊り下げた状態の斜視図を示している。下板６と上板７はヒンジ構造を中心として回転開閉可能なオイルダンパ１１が開いた状態となっている。オイルダンパ１１はフィルタ交換部３を避けた位置に配置され、ランプ交換部４は図２に示すように下方に位置している。これにより、フィルタ交換部３も完全に露出するため、フィルタ交換部３の内部に装着されているフィルタの清掃・交換ができ、ランプ交換部４からのランプユニットの取り出しも容易に行うことができる。
【００２１】
図１から図２の状態にするためには、固定用金具８を取り外すだけで容易にでき、オイルダンパ１１の緩衝作用により、プロジェクタ本体１は急激に開くことなく、緩やかに下方に降下する。
【００２２】
そのため、作業者はプロジェクタ本体１を支える必要もなく、回転移動範囲から退避すればよい。これにより、ランプ交換やフィルタ清掃・交換を行う作業者は、比較的容易に作業を行うことができる。
【００２３】
なお、本実施例においてはフィルタ交換部３とランプ交換部４が共にプロジェクタ本体１の上面に設けられている場合を説明したが、第１の保持部材である下板６が固定される面に少なくとも一方を備える構成であれば本発明の効果を得ることができる。
【００２４】
このように、本発明の天吊り装置及び天井取付用プロジェクタによれば、第１の保持部材である下板６と第２の保持部材である上板７の開閉時に緩衝作用をする緩衝部材を備えることにより、比較的容易にランプ交換等の作業を行うことができる。
【図面の簡単な説明】
【００２５】
【図１】通常の取付状態の斜視図である。
【図２】開放状態の斜視図である。
【符号の説明】
【００２６】
１  プロジェクタ本体
２  投影レンズ
３  フィルタ交換部
４  ランプ交換部
５  天吊り装置
６  下板
７  上板
８  固定用金具
９  軸支部
１０  固定板
１１  オイルダンパ
【図１】
2009288268.tif 000003
【図２】
2009288268.tif 000004